(57)【要約】【課題】携帯通信端末から位置情報を含む通知依頼情報を受信した時に、該通知依頼情報に含まれる携帯通信端末の位置情報に基づき、所定のメッセージ情報および受信端末を選択して通報メッセージを送信することを可能とする通報システムを提供する。【解決手段】携帯通信端末と事業者サーバとが通信ネットワークを介して相互に接続される通報システムであって、前記携帯通信端末は、ワンタッチ発信を行う発信操作子が操作された時に位置取得手段によって取得した位置情報を含む通知依頼情報を送信する制御部を備え、前記事業者サーバは、メッセージ情報と該メッセージ情報を受信する受信端末情報とを対にして複数記憶するユーザ情報ＤＢと、前記携帯通信端末から通知依頼情報を受信した時に当該通知依頼情報に含まれる位置情報に基づいて前記ユーザ情報ＤＢから所定のメッセージ情報と対応する受信端末情報を選択して送信するサーバ制御部とを備える。【選択図】      図１
2006041697.tif 000002
【特許請求の範囲】
【請求項１】
携帯通信端末と事業者サーバとが通信ネットワークを介して相互に接続される通報システムであって、
前記携帯通信端末は、前記携帯通信端末の現在地であるところの位置情報を取得する位置取得手段と、ワンタッチ発信を行う発信操作子と、前記発信操作子が操作された時に前記位置取得手段を動作させて取得した位置情報を含む通知依頼情報を送信するよう制御する制御部とを備え、
前記事業者サーバは、メッセージ情報と該メッセージ情報を受信する受信端末情報とを対にして複数記憶するユーザ情報ＤＢと、前記携帯通信端末から前記通知依頼情報を受信した時に当該通知依頼情報に含まれる前記携帯通信端末の位置情報に基づいて前記ユーザ情報ＤＢから所定のメッセージ情報と対応する受信端末情報を選択して選択したメッセージ情報を選択した受信端末情報を有する受信端末に対して送信するよう制御するサーバ制御部とを備える、ことを特徴とする通報システム。
【請求項２】
前記事業者サーバの前記サーバ制御部は、受信した前記通知依頼情報に含まれる前記携帯通信端末の位置情報が前記ユーザ情報ＤＢ内に予め登録されているルート上に有るかを判定し、当該ルート上に有ると判定した時は前記ユーザ情報ＤＢから所定のメッセージ情報と対応する受信端末情報とを選択して選択したメッセージ情報を選択した受信端末情報を有する受信端末に対して送信するよう制御する、ことを特徴とする請求項１に記載の通報システム。
【請求項３】
前記事業者サーバの前記サーバ制御部は、受信した前記通知依頼情報に含まれる前記携帯通信端末の位置情報が前記ユーザ情報ＤＢ内に予め登録されている位置情報と一致しない時は前記ユーザ情報ＤＢから緊急時のメッセージ情報と対応する緊急時の受信端末情報とを選択して選択した緊急時のメッセージ情報を選択した緊急時の受信端末情報を有する受信端末に対して送信するよう制御する、ことを特徴とする請求項１に記載の通報システム。
【請求項４】
前記事業者サーバの前記サーバ制御部は、受信した前記通知依頼情報に含まれる前記携帯通信端末の位置情報と前記位置情報を含むエリアの気象情報に基づいて前記ユーザ情報ＤＢから所定のメッセージ情報と対応する受信端末情報を選択して選択したメッセージ情報を選択した受信端末情報を有する受信端末に対して送信するよう制御する、ことを特徴とする請求項１に記載の通報システム。
【請求項５】
前記事業者サーバの前記サーバ制御部は、受信した前記通知依頼情報に含まれる前記携帯通信端末の位置情報と前記通知依頼情報の受信時刻に基づいて前記ユーザ情報ＤＢから所定のメッセージ情報と対応する受信端末情報を選択して選択したメッセージ情報を選択した受信端末情報を有する受信端末に対して送信するよう制御する、ことを特徴とする請求項１或いは請求項４の何れか１項に記載の通報システム。
【請求項６】
携帯通信端末と事業者サーバとが通信ネットワークを介して相互に接続される通報システムであって、
前記携帯通信端末は、前記携帯通信端末の現在地であるところの位置情報を取得する位置取得手段と、ワンタッチ発信を行う発信操作子と、前記発信操作子が操作された時に前記位置取得手段を動作させて取得した位置情報を含む通知依頼情報を送信するよう制御する制御部とを備え、
前記事業者サーバは、位置情報が含まれる範囲を示すエリア情報と対応するメッセージ情報と該メッセージ情報を受信する受信端末情報とを対にして複数記憶するユーザ情報ＤＢと、前記携帯通信端末から前記通知依頼情報を受信した時に当該通知依頼情報に含まれる前記携帯通信端末の位置情報が前記ユーザ情報ＤＢの前記エリア情報に一致する或いは含まれる場合に前記ユーザ情報ＤＢから前記エリア情報に対応するメッセージ情報と対応する受信端末情報を選択して選択したメッセージ情報を選択した受信端末情報を有する受信端末に対して送信するよう制御するサーバ制御部とを備える、ことを特徴とする通報システム。
【請求項７】
前記事業者サーバの前記ユーザ情報ＤＢは、更に、位置情報が含まれるルートの範囲を示すルート情報と対応するメッセージ情報と該メッセージ情報を受信する受信端末情報とを対にして複数記憶し、前記サーバ制御部は、前記携帯通信端末から前記通知依頼情報を受信した時に当該通知依頼情報に含まれる前記携帯通信端末の位置情報が前記ユーザ情報ＤＢの前記ルート情報に一致する或いは含まれる場合に前記ユーザ情報ＤＢから前記ルート情報に対応するメッセージ情報と対応する受信端末情報を選択して選択したメッセージ情報を選択した受信端末情報を有する受信端末に対して送信するよう制御する、ことを特徴とする請求項６に記載の通報システム。
【請求項８】
前記事業者サーバの前記サーバ制御部は、受信した前記通知依頼情報に含まれる前記携帯通信端末の位置情報が前記ユーザ情報ＤＢの前記エリア情報の何れにも一致しない及び含まれない時は前記ユーザ情報ＤＢから前記エリア情報にＮＵＬＬコードが記入されている緊急時のメッセージ情報と対応する緊急時の受信端末情報とを選択して選択した緊急時のメッセージ情報を選択した緊急時の受信端末情報を有する受信端末に対して送信するよう制御する、ことを特徴とする請求項６に記載の通報システム。
【請求項９】
前記事業者サーバの前記サーバ制御部は、受信した前記通知依頼情報に含まれる前記携帯通信端末の位置情報が前記ユーザ情報ＤＢの前記エリア情報と前記ルート情報の何れにも一致しない及び含まれない時は前記ユーザ情報ＤＢから前記エリア情報と前記ルート情報にＮＵＬＬコードが記入されている緊急時のメッセージ情報と対応する緊急時の受信端末情報とを選択して選択した緊急時のメッセージ情報を選択した緊急時の受信端末情報を有する受信端末に対して送信するよう制御する、ことを特徴とする請求項７に記載の通報システム。
【請求項１０】
前記事業者サーバの前記ユーザ情報ＤＢは、位置情報が含まれる範囲を示すエリア情報と対応するメッセージ情報と該メッセージ情報を受信する受信端末情報と対応するエリアの天候情報とを対にして複数記憶し、前記サーバ制御部は、前記携帯通信端末から前記通知依頼情報を受信した時に当該通知依頼情報に含まれる前記携帯通信端末の位置情報が前記ユーザ情報ＤＢの前記エリア情報に一致する或いは含まれ、かつ、前記天候情報に記載の天候と外部の気象情報源から取得した当該エリアの現在の天候が一致した場合に前記ユーザ情報ＤＢから前記エリア情報と前記天候情報に対応するメッセージ情報と対応する受信端末情報を選択して選択したメッセージ情報を選択した受信端末情報を有する受信端末に対して送信するよう制御する、ことを特徴とする請求項６に記載の通報システム。
【請求項１１】
前記事業者サーバの前記ユーザ情報ＤＢは、位置情報が含まれる範囲を示すエリア情報と対応するメッセージ情報と該メッセージ情報を受信する受信端末情報と時刻情報とを対にして複数記憶し、前記サーバ制御部は、前記携帯通信端末から前記通知依頼情報を受信した時に当該通知依頼情報に含まれる前記携帯通信端末の位置情報が前記ユーザ情報ＤＢの前記エリア情報に一致する或いは含まれ、かつ、外部の時計から取得した現在時刻が前記時刻情報に記載の時刻と一致する或いは含まれる場合に前記ユーザ情報ＤＢから前記エリア情報と前記時刻情報に対応するメッセージ情報と対応する受信端末情報を選択して選択したメッセージ情報を選択した受信端末情報を有する受信端末に対して送信するよう制御する、ことを特徴とする請求項６に記載の通報システム。
【請求項１２】
自携帯通信端末の現在地であるところの位置情報を取得する位置取得手段と、ワンタッチ発信を行う発信操作子と、を備える携帯通信端末と、位置情報が含まれる範囲を示すエリア情報と対応するメッセージ情報と該メッセージ情報を受信する受信端末情報とを対にして複数記憶するユーザ情報ＤＢを備える事業者サーバとが、通信ネットワークを介して相互に接続される通報システムにおける通報方法であって、
前記携帯通信端末は、前記発信操作子が操作された時に前記位置取得手段を動作させて取得した位置情報を含む通知依頼情報を送信し、
前記事業者サーバは、前記携帯通信端末から前記通知依頼情報を受信した時に当該通知依頼情報に含まれる前記携帯通信端末の位置情報が前記ユーザ情報ＤＢの前記エリア情報に一致する或いは含まれる場合に前記ユーザ情報ＤＢから前記エリア情報に対応するメッセージ情報と対応する受信端末情報を選択して選択したメッセージ情報を選択した受信端末情報を有する受信端末に対して送信する、ことを特徴とする通報方法。
【請求項１３】
前記事業者サーバの前記ユーザ情報ＤＢは、更に、位置情報が含まれるルートの範囲を示すルート情報と対応するメッセージ情報と該メッセージ情報を受信する受信端末情報とを対にして複数記憶し、前記事業者サーバは、前記携帯通信端末から前記通知依頼情報を受信した時に当該通知依頼情報に含まれる前記携帯通信端末の位置情報が前記ユーザ情報ＤＢの前記ルート情報に一致する或いは含まれる場合に前記ユーザ情報ＤＢから前記ルート情報に対応するメッセージ情報と対応する受信端末情報を選択して選択したメッセージ情報を選択した受信端末情報を有する受信端末に対して送信する、ことを特徴とする請求項１２に記載の通報方法。
【請求項１４】
前記事業者サーバは、受信した前記通知依頼情報に含まれる前記携帯通信端末の位置情報が前記ユーザ情報ＤＢの前記エリア情報の何れにも一致しない及び含まれない時は前記ユーザ情報ＤＢから前記エリア情報にＮＵＬＬコードが記入されている緊急時のメッセージ情報と対応する緊急時の受信端末情報とを選択して選択した緊急時のメッセージ情報を選択した緊急時の受信端末情報を有する受信端末に対して送信する、ことを特徴とする請求項１２に記載の通報方法。
【請求項１５】
前記事業者サーバは、受信した前記通知依頼情報に含まれる前記携帯通信端末の位置情報が前記ユーザ情報ＤＢの前記エリア情報と前記ルート情報の何れにも一致しない及び含まれない時は前記ユーザ情報ＤＢから前記エリア情報と前記ルート情報にＮＵＬＬコードが記入されている緊急時のメッセージ情報と対応する緊急時の受信端末情報とを選択して選択した緊急時のメッセージ情報を選択した緊急時の受信端末情報を有する受信端末に対して送信する、ことを特徴とする請求項１３に記載の通報方法。
【請求項１６】
前記事業者サーバの前記ユーザ情報ＤＢは、位置情報が含まれる範囲を示すエリア情報と対応するメッセージ情報と該メッセージ情報を受信する受信端末情報と対応するエリアの天候情報とを対にして複数記憶し、前記事業者サーバは、前記携帯通信端末から前記通知依頼情報を受信した時に当該通知依頼情報に含まれる前記携帯通信端末の位置情報が前記ユーザ情報ＤＢの前記エリア情報に一致する或いは含まれ、かつ、前記天候情報に記載の天候と外部の気象情報源から取得した当該エリアの現在の天候が一致した場合に前記ユーザ情報ＤＢから前記エリア情報と前記天候情報に対応するメッセージ情報と対応する受信端末情報を選択して選択したメッセージ情報を選択した受信端末情報を有する受信端末に対して送信する、ことを特徴とする請求項１２に記載の通報方法。
【請求項１７】
前記事業者サーバの前記ユーザ情報ＤＢは、位置情報が含まれる範囲を示すエリア情報と対応するメッセージ情報と該メッセージ情報を受信する受信端末情報と時刻情報とを対にして複数記憶し、前記事業者サーバは、前記携帯通信端末から前記通知依頼情報を受信した時に当該通知依頼情報に含まれる前記携帯通信端末の位置情報が前記ユーザ情報ＤＢの前記エリア情報に一致する或いは含まれ、かつ、外部の時計から取得した現在時刻が前記時刻情報に記載の時刻と一致する或いは含まれる場合に前記ユーザ情報ＤＢから前記エリア情報と前記時刻情報に対応するメッセージ情報と対応する受信端末情報を選択して選択したメッセージ情報を選択した受信端末情報を有する受信端末に対して送信する、ことを特徴とする請求項１２に記載の通報方法。
【請求項１８】
位置情報が含まれる範囲を示すエリア情報と対応するメッセージ情報と該メッセージ情報を受信する受信端末情報とを対にして複数記憶するユーザ情報ＤＢと、携帯通信端末から通知依頼情報を受信した時に当該通知依頼情報に含まれる前記携帯通信端末の位置情報が前記ユーザ情報ＤＢの前記エリア情報に一致する或いは含まれる場合に前記ユーザ情報ＤＢから前記エリア情報に対応するメッセージ情報と対応する受信端末情報を選択して選択したメッセージ情報を選択した受信端末情報を有する受信端末に対して送信するよう制御するサーバ制御部とを備える、ことを特徴とするサーバ装置。
【請求項１９】
前記ユーザ情報ＤＢは、更に、位置情報が含まれるルートの範囲を示すルート情報と対応するメッセージ情報と該メッセージ情報を受信する受信端末情報とを対にして複数記憶し、前記サーバ制御部は、前記携帯通信端末から前記通知依頼情報を受信した時に当該通知依頼情報に含まれる前記携帯通信端末の位置情報が前記ユーザ情報ＤＢの前記ルート情報に一致する或いは含まれる場合に前記ユーザ情報ＤＢから前記ルート情報に対応するメッセージ情報と対応する受信端末情報を選択して選択したメッセージ情報を選択した受信端末情報を有する受信端末に対して送信するよう制御する、ことを特徴とする請求項１８に記載のサーバ装置。
【請求項２０】
前記サーバ制御部は、受信した前記通知依頼情報に含まれる前記携帯通信端末の位置情報が前記ユーザ情報ＤＢの前記エリア情報の何れにも一致しない及び含まれない時は前記ユーザ情報ＤＢから前記エリア情報にＮＵＬＬコードが記入されている緊急時のメッセージ情報と対応する緊急時の受信端末情報とを選択して選択した緊急時のメッセージ情報を選択した緊急時の受信端末情報を有する受信端末に対して送信するよう制御する、ことを特徴とする請求項１８に記載のサーバ装置。
【請求項２１】
前記サーバ制御部は、受信した前記通知依頼情報に含まれる前記携帯通信端末の位置情報が前記ユーザ情報ＤＢの前記エリア情報と前記ルート情報の何れにも一致しない及び含まれない時は前記ユーザ情報ＤＢから前記エリア情報と前記ルート情報にＮＵＬＬコードが記入されている緊急時のメッセージ情報と対応する緊急時の受信端末情報とを選択して選択した緊急時のメッセージ情報を選択した緊急時の受信端末情報を有する受信端末に対して送信するよう制御する、ことを特徴とする請求項１９に記載のサーバ装置。
【請求項２２】
前記ユーザ情報ＤＢは、位置情報が含まれる範囲を示すエリア情報と対応するメッセージ情報と該メッセージ情報を受信する受信端末情報と対応するエリアの天候情報とを対にして複数記憶し、前記サーバ制御部は、前記携帯通信端末から前記通知依頼情報を受信した時に当該通知依頼情報に含まれる前記携帯通信端末の位置情報が前記ユーザ情報ＤＢの前記エリア情報に一致する或いは含まれ、かつ、前記天候情報に記載の天候と外部の気象情報源から取得した当該エリアの現在の天候が一致した場合に前記ユーザ情報ＤＢから前記エリア情報と前記天候情報に対応するメッセージ情報と対応する受信端末情報を選択して選択したメッセージ情報を選択した受信端末情報を有する受信端末に対して送信するよう制御する、ことを特徴とする請求項１８に記載のサーバ装置。
【請求項２３】
前記ユーザ情報ＤＢは、位置情報が含まれる範囲を示すエリア情報と対応するメッセージ情報と該メッセージ情報を受信する受信端末情報と時刻情報とを対にして複数記憶し、前記サーバ制御部は、前記携帯通信端末から前記通知依頼情報を受信した時に当該通知依頼情報に含まれる前記携帯通信端末の位置情報が前記ユーザ情報ＤＢの前記エリア情報に一致する或いは含まれ、かつ、外部の時計から取得した現在時刻が前記時刻情報に記載の時刻と一致する或いは含まれる場合に前記ユーザ情報ＤＢから前記エリア情報と前記時刻情報に対応するメッセージ情報と対応する受信端末情報を選択して選択したメッセージ情報を選択した受信端末情報を有する受信端末に対して送信するよう制御する、ことを特徴とする請求項１８に記載のサーバ装置。
【請求項２４】
自携帯通信端末の現在地であるところの位置情報を取得する位置取得手段と、ワンタッチ発信を行う発信操作子と、前記発信操作子が操作された時に前記位置取得手段を動作させて取得した位置情報を含む通知依頼情報を送信するよう制御する制御部とを備える、ことを特徴とする携帯通信端末。
【請求項２５】
位置情報が含まれる範囲を示すエリア情報と対応するメッセージ情報と該メッセージ情報を受信する受信端末情報とを対にして複数記憶するユーザ情報ＤＢを備える情報処理装置のコンピュータに、携帯通信端末から通知依頼情報を受信した時に当該通知依頼情報に含まれる前記携帯通信端末の位置情報が前記ユーザ情報ＤＢの前記エリア情報に一致する或いは含まれるかを判定する処理と、前記判定の結果が一致する或いは含まれると判定された場合に前記ユーザ情報ＤＢから前記エリア情報に対応するメッセージ情報と対応する受信端末情報を選択する処理と、選択したメッセージ情報を選択した受信端末情報を有する受信端末に対して送信するよう制御する処理とを実行させる、ことを特徴とするプログラム。
【請求項２６】
自情報処理装置の現在地であるところの位置情報を取得する位置取得手段と、ワンタッチ発信を行う発信操作子とを備える情報処理装置のコンピュータに、前記発信操作子が操作された時に前記位置取得手段を動作させて位置情報を取得させる処理と、取得した位置情報を含む通知依頼情報を生成してこれを送信する処理とを実行させる、ことを特徴とするプログラム。
【発明の詳細な説明】
【技術分野】
【０００１】
本発明は通報システム、通報方法、及び、サーバ装置、携帯通信端末、並びに、プログラムに関し、特に、携帯通信端末から位置情報を含む通知依頼情報を受信した時に、該通知依頼情報に含まれる携帯通信端末の位置情報に基づき、所定のメッセージ情報および受信端末を選択して通報メッセージを送信することを可能とする、通報システム、通報方法、及び、サーバ装置、携帯通信端末、並びに、プログラムに関する。
【背景技術】
【０００２】
携帯電話機などの携帯通信端末を用いて、通信相手に情報を伝達する場合、ほぼ決まった時刻に、或いはほぼ同じ場所から発信されるような定型的な情報であっても、携帯通信端末で所定の操作入力を行い、通信相手にその都度発呼、或いはその都度メール発信する必要がある。
【０００３】
ほぼ決まった時刻に電話連絡を行うものとしては、例えば、モーニングコールや帰るコールなどと称されるものがあり、このような所定の時刻の電話連絡を自動的に行うシステムが提案されている（例えば、特許文献１参照）。
【０００４】
上述の特許文献１の「自動呼出しシステム、自動呼出し方法及びプログラム」には、携帯電話機の電話番号、時刻情報、及び携帯電話機に対応した固定電話機の電話番号を含んだ発呼情報を記憶しているサービスセンタを備える自動呼出しシステムが記載されている。そして、サービスセンタは、現在時刻がデータベースに記憶した発呼情報中の時刻情報と一致した時点で、該当する発呼情報中の携帯電話機及び固定電話機の各電話番号を用いて発呼を行う。携帯電話機、固定電話機の双方から応答があった際、これら端末機間の回線を接続する。このことにより、所定の時刻となった時点で、確実に発呼を行い、応答を確認することができるようになる、としている。
【０００５】
また、帰宅することなどを、自宅などの所定の場所へメールとして自動的に送信するシステムも提案されている（例えば、特許文献２参照）。
【０００６】
上述の特許文献２の「メール配信システム」には、交通機関への入場パスとしてのＩＤパスを使用したメール配信システムが記載されている。メール配信システムは、ＩＤパスと連結した個人情報を含む会員情報を蓄積した会員情報データベースを具備している。そして、利用者がＩＤパスを使用して、交通機関の改札機を通過すると、システムはそのＩＤに対応する会員情報に基づいて、改札機からの入場或いは出場の情報に対応するメール情報を作成し、当該メールを会員情報に含まれる送信先へ送信する。このことにより、自らメールを送信することなく、自宅へ帰宅する旨を自動的に報知することができる、としている。
【０００７】
一方、近年の携帯電話機やＰＨＳ（Ｐｅｒｓｏｎａｌ  Ｈａｎｄｙｐｈｏｎｅ  Ｓｙｓｔｅｍ：パーソナルハンディホンシステム）端末などでは、自端末の現在地を位置情報として取得できるようになってきている。
【０００８】
位置情報の取得の方式としては、ＧＰＳ（Ｇｌｏｂａｌ  Ｐｏｓｉｔｉｏｎｉｎｇ  Ｓｙｓｔｅｍ：全地球測位システム）を利用する方式や、複数の基地局からの受信電界強度に基づき三角測量の要領で演算を行って求める方式など、様々な方式が提案されている。そして、取得した位置情報を関係者に伝達するシステムも提案されている（例えば、特許文献３参照。）。
【０００９】
上述の特許文献３の「緊急通報システム」には、通報者の位置情報を、所定の連絡先に伝達する緊急通報システムが記載されている。通報者は、発信装置を身につけ、また携帯電話装置を所持する。非常時に通報者が発信装置のスイッチを押すと、発信装置はトリガー信号を送信する。トリガー信号を受信した携帯電話装置は、ＧＰＳ信号により携帯電話装置の位置情報を計算する。続いて、位置情報および携帯電話装置の電話番号等の情報を、電話網を介して管理サーバに送信する。管理サーバは、携帯電話装置から受信した位置情報等を、プッシュ型配信によって緊急連絡先であるところの端末装置に送信する。このことにより、所定の連絡先に通報者の位置情報等を迅速に伝えることができる、としている。
【００１０】
【特許文献１】特開２００３−５１８８５号公報（第３−６頁、図１−５）
【特許文献２】特開２００４−５３８８号公報（第４−８頁、図１）
【特許文献３】特開２００２−２６１９８２号公報（第５−９頁、図１−４）
【発明の開示】
【発明が解決しようとする課題】
【００１１】
上述した特許文献１に記載の自動呼出しシステムは、所定の時刻になると電話機同士の回線を接続することによって、所定の時刻の電話連絡が自動的に行えるようになるものである。しかしながら、携帯通信端末の位置情報に応じたメッセージを伝達するものではない。
【００１２】
また、特許文献２に記載のメール配信システムは、ＩＤパスを使用して改札機を通過した際に、入場或いは出場に対応するメール情報を作成して所定の送信先に送信するものである。しかしながら、交通機関特有の改札機や、交通機関への入場パスであるところのＩＤパスを用いて利用者の位置を把握するようになっており、携帯通信端末自身が取得する位置情報を利用するものではない。
【００１３】
特許文献３に記載の緊急通報システムは、所定の連絡先に通報者の位置情報等を伝達するものであり、通報者の所持する携帯通信端末の位置情報に応じたメッセージを選択して通報するようにはなっていない。
【００１４】
本発明は上述した事情を改善するために成されたものであり、従って本発明の目的は、携帯通信端末から位置情報を含む通知依頼情報を受信した時に、該通知依頼情報に含まれる携帯通信端末の位置情報に基づき、所定のメッセージ情報および受信端末を選択して通報メッセージを送信することを可能とする、通報システム、通報方法、及び、サーバ装置、携帯通信端末、並びに、プログラム、を提供することにある。
【課題を解決するための手段】
【００１５】
本発明の通報システムは、携帯通信端末と事業者サーバとが通信ネットワークを介して相互に接続される通報システムであって、
前記携帯通信端末は、前記携帯通信端末の現在地であるところの位置情報を取得する位置取得手段と、ワンタッチ発信を行う発信操作子と、前記発信操作子が操作された時に前記位置取得手段を動作させて取得した位置情報を含む通知依頼情報を送信するよう制御する制御部とを備え、
前記事業者サーバは、メッセージ情報と該メッセージ情報を受信する受信端末情報とを対にして複数記憶するユーザ情報ＤＢと、前記携帯通信端末から前記通知依頼情報を受信した時に当該通知依頼情報に含まれる前記携帯通信端末の位置情報に基づいて前記ユーザ情報ＤＢから所定のメッセージ情報と対応する受信端末情報を選択して選択したメッセージ情報を選択した受信端末情報を有する受信端末に対して送信するよう制御するサーバ制御部とを備える、ことを特徴とする。
【００１６】
また、前記事業者サーバの前記サーバ制御部は、受信した前記通知依頼情報に含まれる前記携帯通信端末の位置情報が前記ユーザ情報ＤＢ内に予め登録されているルート上に有るかを判定し、当該ルート上に有ると判定した時は前記ユーザ情報ＤＢから所定のメッセージ情報と対応する受信端末情報とを選択して選択したメッセージ情報を選択した受信端末情報を有する受信端末に対して送信するよう制御する、ことを特徴とする。
【００１７】
さらに、前記事業者サーバの前記サーバ制御部は、受信した前記通知依頼情報に含まれる前記携帯通信端末の位置情報が前記ユーザ情報ＤＢ内に予め登録されている位置情報と一致しない時は前記ユーザ情報ＤＢから緊急時のメッセージ情報と対応する緊急時の受信端末情報とを選択して選択した緊急時のメッセージ情報を選択した緊急時の受信端末情報を有する受信端末に対して送信するよう制御する、ことを特徴とする。
【００１８】
また、前記事業者サーバの前記サーバ制御部は、受信した前記通知依頼情報に含まれる前記携帯通信端末の位置情報と前記位置情報を含むエリアの気象情報に基づいて前記ユーザ情報ＤＢから所定のメッセージ情報と対応する受信端末情報を選択して選択したメッセージ情報を選択した受信端末情報を有する受信端末に対して送信するよう制御する、ことを特徴とする。
【００１９】
さらに、前記事業者サーバの前記サーバ制御部は、受信した前記通知依頼情報に含まれる前記携帯通信端末の位置情報と前記通知依頼情報の受信時刻に基づいて前記ユーザ情報ＤＢから所定のメッセージ情報と対応する受信端末情報を選択して選択したメッセージ情報を選択した受信端末情報を有する受信端末に対して送信するよう制御する、ことを特徴とする。
【００２０】
また、携帯通信端末と事業者サーバとが通信ネットワークを介して相互に接続される通報システムであって、
前記携帯通信端末は、前記携帯通信端末の現在地であるところの位置情報を取得する位置取得手段と、ワンタッチ発信を行う発信操作子と、前記発信操作子が操作された時に前記位置取得手段を動作させて取得した位置情報を含む通知依頼情報を送信するよう制御する制御部とを備え、
前記事業者サーバは、位置情報が含まれる範囲を示すエリア情報と対応するメッセージ情報と該メッセージ情報を受信する受信端末情報とを対にして複数記憶するユーザ情報ＤＢと、前記携帯通信端末から前記通知依頼情報を受信した時に当該通知依頼情報に含まれる前記携帯通信端末の位置情報が前記ユーザ情報ＤＢの前記エリア情報に一致する或いは含まれる場合に前記ユーザ情報ＤＢから前記エリア情報に対応するメッセージ情報と対応する受信端末情報を選択して選択したメッセージ情報を選択した受信端末情報を有する受信端末に対して送信するよう制御するサーバ制御部とを備える、ことを特徴とする。
【００２１】
さらに、前記事業者サーバの前記ユーザ情報ＤＢは、更に、位置情報が含まれるルートの範囲を示すルート情報と対応するメッセージ情報と該メッセージ情報を受信する受信端末情報とを対にして複数記憶し、前記サーバ制御部は、前記携帯通信端末から前記通知依頼情報を受信した時に当該通知依頼情報に含まれる前記携帯通信端末の位置情報が前記ユーザ情報ＤＢの前記ルート情報に一致する或いは含まれる場合に前記ユーザ情報ＤＢから前記ルート情報に対応するメッセージ情報と対応する受信端末情報を選択して選択したメッセージ情報を選択した受信端末情報を有する受信端末に対して送信するよう制御する、ことを特徴とする。
【００２２】
また、前記事業者サーバの前記サーバ制御部は、受信した前記通知依頼情報に含まれる前記携帯通信端末の位置情報が前記ユーザ情報ＤＢの前記エリア情報の何れにも一致しない及び含まれない時は前記ユーザ情報ＤＢから前記エリア情報にＮＵＬＬコードが記入されている緊急時のメッセージ情報と対応する緊急時の受信端末情報とを選択して選択した緊急時のメッセージ情報を選択した緊急時の受信端末情報を有する受信端末に対して送信するよう制御する、ことを特徴とする。
【００２３】
さらに、前記事業者サーバの前記サーバ制御部は、受信した前記通知依頼情報に含まれる前記携帯通信端末の位置情報が前記ユーザ情報ＤＢの前記エリア情報と前記ルート情報の何れにも一致しない及び含まれない時は前記ユーザ情報ＤＢから前記エリア情報と前記ルート情報にＮＵＬＬコードが記入されている緊急時のメッセージ情報と対応する緊急時の受信端末情報とを選択して選択した緊急時のメッセージ情報を選択した緊急時の受信端末情報を有する受信端末に対して送信するよう制御する、ことを特徴とする。
【００２４】
また、前記事業者サーバの前記ユーザ情報ＤＢは、位置情報が含まれる範囲を示すエリア情報と対応するメッセージ情報と該メッセージ情報を受信する受信端末情報と対応するエリアの天候情報とを対にして複数記憶し、前記サーバ制御部は、前記携帯通信端末から前記通知依頼情報を受信した時に当該通知依頼情報に含まれる前記携帯通信端末の位置情報が前記ユーザ情報ＤＢの前記エリア情報に一致する或いは含まれ、かつ、前記天候情報に記載の天候と外部の気象情報源から取得した当該エリアの現在の天候が一致した場合に前記ユーザ情報ＤＢから前記エリア情報と前記天候情報に対応するメッセージ情報と対応する受信端末情報を選択して選択したメッセージ情報を選択した受信端末情報を有する受信端末に対して送信するよう制御する、ことを特徴とする。
【００２５】
さらに、前記事業者サーバの前記ユーザ情報ＤＢは、位置情報が含まれる範囲を示すエリア情報と対応するメッセージ情報と該メッセージ情報を受信する受信端末情報と時刻情報とを対にして複数記憶し、前記サーバ制御部は、前記携帯通信端末から前記通知依頼情報を受信した時に当該通知依頼情報に含まれる前記携帯通信端末の位置情報が前記ユーザ情報ＤＢの前記エリア情報に一致する或いは含まれ、かつ、外部の時計から取得した現在時刻が前記時刻情報に記載の時刻と一致する或いは含まれる場合に前記ユーザ情報ＤＢから前記エリア情報と前記時刻情報に対応するメッセージ情報と対応する受信端末情報を選択して選択したメッセージ情報を選択した受信端末情報を有する受信端末に対して送信するよう制御する、ことを特徴とする。
【００２６】
本発明の通報方法は、自携帯通信端末の現在地であるところの位置情報を取得する位置取得手段と、ワンタッチ発信を行う発信操作子と、を備える携帯通信端末と、位置情報が含まれる範囲を示すエリア情報と対応するメッセージ情報と該メッセージ情報を受信する受信端末情報とを対にして複数記憶するユーザ情報ＤＢを備える事業者サーバとが、通信ネットワークを介して相互に接続される通報システムにおける通報方法であって、
前記携帯通信端末は、前記発信操作子が操作された時に前記位置取得手段を動作させて取得した位置情報を含む通知依頼情報を送信し、
前記事業者サーバは、前記携帯通信端末から前記通知依頼情報を受信した時に当該通知依頼情報に含まれる前記携帯通信端末の位置情報が前記ユーザ情報ＤＢの前記エリア情報に一致する或いは含まれる場合に前記ユーザ情報ＤＢから前記エリア情報に対応するメッセージ情報と対応する受信端末情報を選択して選択したメッセージ情報を選択した受信端末情報を有する受信端末に対して送信する、ことを特徴とする。
【００２７】
また、前記事業者サーバの前記ユーザ情報ＤＢは、更に、位置情報が含まれるルートの範囲を示すルート情報と対応するメッセージ情報と該メッセージ情報を受信する受信端末情報とを対にして複数記憶し、前記事業者サーバは、前記携帯通信端末から前記通知依頼情報を受信した時に当該通知依頼情報に含まれる前記携帯通信端末の位置情報が前記ユーザ情報ＤＢの前記ルート情報に一致する或いは含まれる場合に前記ユーザ情報ＤＢから前記ルート情報に対応するメッセージ情報と対応する受信端末情報を選択して選択したメッセージ情報を選択した受信端末情報を有する受信端末に対して送信する、ことを特徴とする。
【００２８】
さらに、前記事業者サーバは、受信した前記通知依頼情報に含まれる前記携帯通信端末の位置情報が前記ユーザ情報ＤＢの前記エリア情報の何れにも一致しない及び含まれない時は前記ユーザ情報ＤＢから前記エリア情報にＮＵＬＬコードが記入されている緊急時のメッセージ情報と対応する緊急時の受信端末情報とを選択して選択した緊急時のメッセージ情報を選択した緊急時の受信端末情報を有する受信端末に対して送信する、ことを特徴とする。
【００２９】
また、前記事業者サーバは、受信した前記通知依頼情報に含まれる前記携帯通信端末の位置情報が前記ユーザ情報ＤＢの前記エリア情報と前記ルート情報の何れにも一致しない及び含まれない時は前記ユーザ情報ＤＢから前記エリア情報と前記ルート情報にＮＵＬＬコードが記入されている緊急時のメッセージ情報と対応する緊急時の受信端末情報とを選択して選択した緊急時のメッセージ情報を選択した緊急時の受信端末情報を有する受信端末に対して送信する、ことを特徴とする。
【００３０】
さらに、前記事業者サーバの前記ユーザ情報ＤＢは、位置情報が含まれる範囲を示すエリア情報と対応するメッセージ情報と該メッセージ情報を受信する受信端末情報と対応するエリアの天候情報とを対にして複数記憶し、前記事業者サーバは、前記携帯通信端末から前記通知依頼情報を受信した時に当該通知依頼情報に含まれる前記携帯通信端末の位置情報が前記ユーザ情報ＤＢの前記エリア情報に一致する或いは含まれ、かつ、前記天候情報に記載の天候と外部の気象情報源から取得した当該エリアの現在の天候が一致した場合に前記ユーザ情報ＤＢから前記エリア情報と前記天候情報に対応するメッセージ情報と対応する受信端末情報を選択して選択したメッセージ情報を選択した受信端末情報を有する受信端末に対して送信する、ことを特徴とする。
【００３１】
また、前記事業者サーバの前記ユーザ情報ＤＢは、位置情報が含まれる範囲を示すエリア情報と対応するメッセージ情報と該メッセージ情報を受信する受信端末情報と時刻情報とを対にして複数記憶し、前記事業者サーバは、前記携帯通信端末から前記通知依頼情報を受信した時に当該通知依頼情報に含まれる前記携帯通信端末の位置情報が前記ユーザ情報ＤＢの前記エリア情報に一致する或いは含まれ、かつ、外部の時計から取得した現在時刻が前記時刻情報に記載の時刻と一致する或いは含まれる場合に前記ユーザ情報ＤＢから前記エリア情報と前記時刻情報に対応するメッセージ情報と対応する受信端末情報を選択して選択したメッセージ情報を選択した受信端末情報を有する受信端末に対して送信する、ことを特徴とする。
【００３２】
本発明のサーバ装置は、位置情報が含まれる範囲を示すエリア情報と対応するメッセージ情報と該メッセージ情報を受信する受信端末情報とを対にして複数記憶するユーザ情報ＤＢと、携帯通信端末から通知依頼情報を受信した時に当該通知依頼情報に含まれる前記携帯通信端末の位置情報が前記ユーザ情報ＤＢの前記エリア情報に一致する或いは含まれる場合に前記ユーザ情報ＤＢから前記エリア情報に対応するメッセージ情報と対応する受信端末情報を選択して選択したメッセージ情報を選択した受信端末情報を有する受信端末に対して送信するよう制御するサーバ制御部とを備える、ことを特徴とする。
【００３３】
また、前記ユーザ情報ＤＢは、更に、位置情報が含まれるルートの範囲を示すルート情報と対応するメッセージ情報と該メッセージ情報を受信する受信端末情報とを対にして複数記憶し、前記サーバ制御部は、前記携帯通信端末から前記通知依頼情報を受信した時に当該通知依頼情報に含まれる前記携帯通信端末の位置情報が前記ユーザ情報ＤＢの前記ルート情報に一致する或いは含まれる場合に前記ユーザ情報ＤＢから前記ルート情報に対応するメッセージ情報と対応する受信端末情報を選択して選択したメッセージ情報を選択した受信端末情報を有する受信端末に対して送信するよう制御する、ことを特徴とする。
【００３４】
さらに、前記サーバ制御部は、受信した前記通知依頼情報に含まれる前記携帯通信端末の位置情報が前記ユーザ情報ＤＢの前記エリア情報の何れにも一致しない及び含まれない時は前記ユーザ情報ＤＢから前記エリア情報にＮＵＬＬコードが記入されている緊急時のメッセージ情報と対応する緊急時の受信端末情報とを選択して選択した緊急時のメッセージ情報を選択した緊急時の受信端末情報を有する受信端末に対して送信するよう制御する、ことを特徴とする。
【００３５】
また、前記サーバ制御部は、受信した前記通知依頼情報に含まれる前記携帯通信端末の位置情報が前記ユーザ情報ＤＢの前記エリア情報と前記ルート情報の何れにも一致しない及び含まれない時は前記ユーザ情報ＤＢから前記エリア情報と前記ルート情報にＮＵＬＬコードが記入されている緊急時のメッセージ情報と対応する緊急時の受信端末情報とを選択して選択した緊急時のメッセージ情報を選択した緊急時の受信端末情報を有する受信端末に対して送信するよう制御する、ことを特徴とする。
【００３６】
さらに、前記ユーザ情報ＤＢは、位置情報が含まれる範囲を示すエリア情報と対応するメッセージ情報と該メッセージ情報を受信する受信端末情報と対応するエリアの天候情報とを対にして複数記憶し、前記サーバ制御部は、前記携帯通信端末から前記通知依頼情報を受信した時に当該通知依頼情報に含まれる前記携帯通信端末の位置情報が前記ユーザ情報ＤＢの前記エリア情報に一致する或いは含まれ、かつ、前記天候情報に記載の天候と外部の気象情報源から取得した当該エリアの現在の天候が一致した場合に前記ユーザ情報ＤＢから前記エリア情報と前記天候情報に対応するメッセージ情報と対応する受信端末情報を選択して選択したメッセージ情報を選択した受信端末情報を有する受信端末に対して送信するよう制御する、ことを特徴とする。
【００３７】
また、前記ユーザ情報ＤＢは、位置情報が含まれる範囲を示すエリア情報と対応するメッセージ情報と該メッセージ情報を受信する受信端末情報と時刻情報とを対にして複数記憶し、前記サーバ制御部は、前記携帯通信端末から前記通知依頼情報を受信した時に当該通知依頼情報に含まれる前記携帯通信端末の位置情報が前記ユーザ情報ＤＢの前記エリア情報に一致する或いは含まれ、かつ、外部の時計から取得した現在時刻が前記時刻情報に記載の時刻と一致する或いは含まれる場合に前記ユーザ情報ＤＢから前記エリア情報と前記時刻情報に対応するメッセージ情報と対応する受信端末情報を選択して選択したメッセージ情報を選択した受信端末情報を有する受信端末に対して送信するよう制御する、ことを特徴とする。
【００３８】
本発明の携帯通信端末は、自携帯通信端末の現在地であるところの位置情報を取得する位置取得手段と、ワンタッチ発信を行う発信操作子と、前記発信操作子が操作された時に前記位置取得手段を動作させて取得した位置情報を含む通知依頼情報を送信するよう制御する制御部とを備える、ことを特徴とする。
【００３９】
本発明のプログラムは、位置情報が含まれる範囲を示すエリア情報と対応するメッセージ情報と該メッセージ情報を受信する受信端末情報とを対にして複数記憶するユーザ情報ＤＢを備える情報処理装置のコンピュータに、携帯通信端末から通知依頼情報を受信した時に当該通知依頼情報に含まれる前記携帯通信端末の位置情報が前記ユーザ情報ＤＢの前記エリア情報に一致する或いは含まれるかを判定する処理と、前記判定の結果が一致する或いは含まれると判定された場合に前記ユーザ情報ＤＢから前記エリア情報に対応するメッセージ情報と対応する受信端末情報を選択する処理と、選択したメッセージ情報を選択した受信端末情報を有する受信端末に対して送信するよう制御する処理とを実行させる、ことを特徴とする。
【００４０】
また、自情報処理装置の現在地であるところの位置情報を取得する位置取得手段と、ワンタッチ発信を行う発信操作子とを備える情報処理装置のコンピュータに、前記発信操作子が操作された時に前記位置取得手段を動作させて位置情報を取得させる処理と、取得した位置情報を含む通知依頼情報を生成してこれを送信する処理とを実行させる、ことを特徴とする。
【発明の効果】
【００４１】
本発明の通報システムは、携帯通信端末の発信操作子を操作するだけで、携帯通信端末の現在位置を示す位置情報が取得され、位置情報を含む通知依頼情報が事業者サーバに送信される。事業者サーバでは、通知依頼情報に含まれる位置情報が、事業者サーバの備えるユーザ情報ＤＢに登録されているかを判定する。位置情報がユーザ情報ＤＢに登録されている場合、該位置情報に対応する所定のメッセージ情報及び受信端末情報をユーザ情報ＤＢから抽出し、該メッセージ情報を、受信端末情報を有する受信端末に対して送信することができる。従って、ほぼ同じ場所から同じ通信相手に発信されるような定型的な情報を、携帯電話機などの携帯通信端末から、容易な端末操作で送信可能となる、という効果がある。
【発明を実施するための最良の形態】
【００４２】
次に、本発明の実施の形態について図面を参照して説明する。
【００４３】
図１は、本発明の通報システムの一実施形態を示すブロック図である。
【００４４】
図１に示す本実施の形態は、携帯電話機１００と、事業者サーバ２００と、複数の受信端末３００（３００ａ、３００ｂ、３００ｃ）と、緊急通報端末５００と、これらを相互に接続するインターネット等の通信ネットワーク４００と、から主に構成されている。
【００４５】
携帯電話機１００は、本実施形態の通報システムの利用者が使用する携帯通信端末であり、自携帯電話機１００の位置情報の取得機能を備え、プログラム制御により動作するようになっている。
【００４６】
事業者サーバ２００は、本実施形態の通報システムのサービス提供者によって設置、運営されるサーバ装置であり、プログラム制御により動作するようになっている。事業者サーバ２００は、携帯電話機１００から通知依頼情報を受信すると、該通知依頼情報に含まれる携帯電話機１００の位置情報に応じたメッセージ情報を選択し、該メッセージ情報を通報メッセージとして受信端末３００或いは緊急通報端末５００に対して送信する。ここで、通報メッセージとしては２種類のものが有り、１つは依頼メッセージと称し、受信端末３００に送信されるメッセージである。他の１つは緊急メッセージと称し、緊急通報端末５００に送信されるメッセージである。
【００４７】
受信端末３００は、通報メッセージの内の依頼メッセージを受信する端末装置であり、ＰＣ（Ｐｅｒｓｏｎａｌ  Ｃｏｍｐｕｔｅｒ：パーソナルコンピュータ）或いは携帯電話機などで構成され、プログラム制御により動作するようになっている。受信端末３００は、携帯電話機１００の利用者の家族或いは関係者などが使用する端末装置である。
【００４８】
緊急通報端末５００は、通報メッセージの内の緊急メッセージを受信する端末装置であり、プログラム制御により動作するようになっている。緊急通報端末５００は、緊急通報先、例えば、警察、消防、救急、或いは利用者により予め登録（契約）されたセキュリティ会社などに設置される端末装置である。
【００４９】
次に、図２を参照して、携帯電話機１００の詳細な構成について説明する。
【００５０】
図２は、携帯電話機の一例を示す詳細ブロック図である。
【００５１】
図２における携帯電話機１００は、アンテナ１１３を介して無線基地局（携帯電話基地局装置）との間で無線信号を送受する無線部１０１を備えている。また、ＧＰＳ（Ｇｌｏｂａｌ  Ｐｏｓｉｔｉｏｎｉｎｇ  Ｓｙｓｔｅｍ：全地球測位システム）衛星からのＧＰＳ信号受信により、自携帯電話機１００の現在地の測位（位置情報取得）を行う測位部１０２を備えている。さらに、情報入力を行うテンキー、スクロールキー等から構成される操作部１０３を備えている。また、前記操作部１０３とは別に設けられ、通報操作の専用キーであって、押下により位置情報の取得および該位置情報を含む通知依頼情報の送信がなされるワンタッチ操作ボタン１０４を備えている。さらに、情報表示を行う表示部１０５と、報知音などの楽音情報を出力するスピーカ１０６と、画像撮像を行うカメラ１０７とを備えている。さらにまた、音声信号処理を行う送受話部１０８への入出力を行う受話器１０９および送話器１１０を備えている。また、電話帳情報、送受信メール情報、発着呼履歴情報、画像、制御プログラム、および携帯電話機１００の設定情報等を記憶する記憶部１１１を備えている。さらに、携帯電話機１００の上述した各部の制御を行う制御部１１２を備えている。制御部１１２は、図示しないＣＰＵ（Ｃｅｎｔｒａｌ  Ｐｒｏｃｅｓｓｉｎｇ  Ｕｎｉｔ：中央処理装置）を備えており、記憶部１１１内の制御プログラムにより動作制御されるようになっている。そして、その機能としては、例えば、電話機能、メール送受信機能、測位部１０２を動作させ測位を行う測位機能、インターネット接続（ブラウザ）機能等を有している。
【００５２】
なお、本実施形態においては、以降の説明の容易化の為、携帯電話機１００の測位部１０２が測位する位置情報は、文字データ（例えば、「○○駅南口」）として取得されるものとする。すなわち、測位部１０２は、ＧＰＳ信号受信によって緯度・経度データなどの座標データを得、該座標データから座標データを地名などの文字データに変換するための変換テーブル参照等により、位置情報としての文字データを得る機能を備えているものとする。
【００５３】
次に、図３を参照して、携帯電話機１００の外観について説明する。
【００５４】
図３は、携帯電話機の外観の一例を示す図である。なお、図３において図２に示す構成要素に対応するものは同一の参照数字または符号を付し、その説明を省略する。
【００５５】
図３における携帯電話機１００は、ヒンジにより開閉自在な折畳み型携帯電話機として構成されており、表示部１０５、カメラ１０７、受話器１０９、アンテナ１１３等を上部筐体に実装している。また、操作部１０３、ワンタッチ操作ボタン１０４、送話器１１０等を下部筐体に実装している。
【００５６】
尚、図３に示す携帯電話機１００は、上部筐体がヒンジ軸の周りに回転する回転型携帯電話機であってもよい。また、上部筐体あるいは下部筐体がスライドするスライド型携帯電話機であってもよい。
【００５７】
次に、図４〜図７を参照して、事業者サーバ２００の詳細な構成について説明する。
【００５８】
図４は、事業者サーバの一例を示す詳細ブロック図である。
【００５９】
図４における事業者サーバ２００は、ワークステーション・サーバ等の情報処理装置から構成されている。そして、通信ネットワーク４００を介して携帯電話機１００、受信端末３００、緊急通報端末５００等と通信を行う通信部２０１を備えている。また、予め携帯電話機１００の利用者によって登録、或いは設定されたユーザ情報を格納するユーザ情報ＤＢ（Ｄａｔａ  Ｂａｓｅ：データベース）２０２を備えている。さらに、バス、電車などの移動経路情報を格納するルート情報ＤＢ２０３を備えている。またさらに、図示しない外部の気象情報源から気象情報を受信して格納する気象情報ＤＢ２０４を備えている。さらにまた、携帯電話機１００から受信する通知依頼情報に含まれる位置情報に対応する地図を格納する地図情報ＤＢ２０６を備えている。また、事業者サーバ２００の上述した通信部２０１及び各ＤＢ（２０２、２０３、２０４、２０６）を使用して、本実施形態の通報システムのサービスを提供するサーバ制御部２０５を備えている。サーバ制御部２０５は、図示しないＣＰＵを備えており、サーバ制御部２０５が有する図示しない記憶装置内の制御プログラムにより動作制御されるようになっている。
【００６０】
次に、図５を参照して、事業者サーバ２００のユーザ情報ＤＢ２０２について説明する。
【００６１】
図５は、事業者サーバのユーザ情報ＤＢの一例を示す図である。
【００６２】
図５に示すユーザ情報ＤＢ２０２は、予め携帯電話機１００の利用者によって登録、或いは設定されたユーザ情報を格納するデータベースである。図５に示すユーザ情報ＤＢ２０２は、端末ＩＤ２０２−１の欄と、エリア情報２０２−２の欄と、ルート情報２０２−３の欄と、メッセージ情報２０２−６の欄と、通報端末ＩＤ２０２−７の欄と、を備えている。
【００６３】
端末ＩＤ２０２−１は、携帯電話機１００の電話番号などの端末識別子である。
【００６４】
エリア情報２０２−２は、携帯電話機１００から受信する通知依頼情報に含まれる位置情報が、どの地点に対応するか、或いは、どのエリアに含まれるかを判定するための情報である。図５の２０２−１０の行に示すエリア情報２０２−２は、一例として「○○駅南口」と「○○駅北口」と「○○駅前ビル」とが一つのエリアとして判定されることを示している。また、図５の２０２−１１の行に示すエリア情報２０２−２は、「□□ビル」が一つの地点（一つのエリア）として識別されることを示している。
【００６５】
ルート情報２０２−３は、携帯電話機１００から受信する通知依頼情報に含まれる位置情報が、電車やバス等のルート（路線）に含まれる地点に対応するかを判定するための情報である。図５の２０２−１２の行に示すルート情報２０２−３は、「××駅」が或るルートに含まれる地点として識別されることを示している。
【００６６】
メッセージ情報２０２−６は、携帯電話機１００から受信する通知依頼情報に含まれる位置情報が、エリア情報２０２−２或いはルート情報２０２−３に記述されている地点に一致する或いは含まれる場合、受信端末３００に対して送信する依頼メッセージの内容である。また、携帯電話機１００から受信する通知依頼情報に含まれる位置情報が、エリア情報２０２−２及びルート情報２０２−３に記述されている何れの地点にも一致しない或いは含まれない場合、緊急通報端末５００に対して送信する緊急メッセージの内容である。図５の２０２−１０の行に示すメッセージ情報２０２−６「駅に着いたので車で迎えに来て下さい！」は、携帯電話機１００から受信する通知依頼情報に含まれる位置情報が、２０２−１０の行のエリア情報２０２−２（「○○駅南口」、「○○駅北口」、「○○駅前ビル」の何れか）に一致する或いは含まれる場合、受信端末３００に対して送信する依頼メッセージである。また、図５の２０２−１３の行に示すメッセージ情報２０２−６「緊急事態発生！」は、携帯電話機１００から受信する通知依頼情報に含まれる位置情報が、２０２−１０の行、２０２−１１の行のエリア情報２０２−２、及び２０２−１２の行のルート情報２０２−３の何れにも一致しない或いは含まれない場合、緊急通報端末５００に対して送信する緊急メッセージである。
【００６７】
通報端末ＩＤ２０２−７は、受信端末３００或いは緊急通報端末５００の電話番号或いは電子メールアドレスなどの端末識別子である。図５の２０２−１０の行に示す通報端末ＩＤ２０２−７「ＸＸＸ−ＹＹＹＹ−ＹＹＹＹ」は、２０２−１０の行のメッセージ情報２０２−６を送信する受信端末３００の電話番号を示している。図５の２０２−１１の行に示すように、通報端末ＩＤ２０２−７には、複数の端末識別子を記載するようにしてもよく、この場合、同一のメッセージ情報２０２−６が複数の受信端末３００或いは緊急通報端末５００に送信される。図５の２０２−１３の行に示す通報端末ＩＤ２０２−７「ＸＸＸ−ＺＺＺＺ−ＺＺＺＺ」は、２０２−１３の行のメッセージ情報２０２−６を送信する緊急通報端末５００の電話番号を示している。
【００６８】
なお、緊急メッセージを格納している２０２−１３の行のエリア情報２０２−２とルート情報２０２−３の欄は、何れも「ＮＵＬＬ」コードが格納されている。
【００６９】
次に、図６を参照して、事業者サーバ２００のルート情報ＤＢ２０３について説明する。
【００７０】
図６は、事業者サーバのルート情報ＤＢの一例を示す図である。
【００７１】
図６に示すルート情報ＤＢ２０３は、携帯電話機１００の利用者が、事業者サーバ２００のユーザ情報ＤＢ２０２にユーザ情報を予め登録・設定する際に参照されるものであり、ユーザ情報ＤＢ２０２のルート情報２０２−３を登録・設定する際に参照される。
【００７２】
図６に示すルート情報ＤＢ２０３は、ルート名２０３−１の欄と、ルート構成２０３−２の欄と、を備えている。
【００７３】
ルート名２０３−１は、電車やバス等のルートの名称を示し、ルート構成２０３−２は、該ルートの構成（例えば、該ルート上の駅名など）を示している。一例として図６の２０３−１０の行に示すルートは、ルート名２０３−１が「○○電鉄、△△線」であり、ルート構成２０３−２は、「△△駅、△×駅、××駅、・・・」であることを示している。
【００７４】
次に、図７を参照して、事業者サーバ２００の気象情報ＤＢ２０４について説明する。
【００７５】
図７は、事業者サーバの気象情報ＤＢの一例を示す図である。
【００７６】
図７に示す気象情報ＤＢ２０４は、外部の気象情報源から気象情報を受信して格納するデータベースである。
【００７７】
図７に示す気象情報ＤＢ２０４は、エリア情報２０４−１の欄と、現在の天候２０４−２の欄と、を備えている。
【００７８】
エリア情報２０４−１は、地点或いはエリアを示す情報であり、現在の天候２０４−２は、エリア情報２０４−１に示す地点或いはエリアの現在の天候を示すようになっている。エリア情報２０４−１は、図５に示したユーザ情報ＤＢ２０２のエリア情報２０２−２と一致するものとする。一例として、図７の２０４−１０の行では、エリア情報２０４−１のエリア（「○○駅南口」、「○○駅北口」、「○○駅前ビル」）の現在の天候２０４−２は、「雨」であることを示している。また、図７の２０４−１１の行では、エリア情報２０４−１のエリア（「□□ビル」）の現在の天候２０４−２は、「曇」であることを示している。
【００７９】
次に、図８を参照して、事業者サーバ２００の地図情報ＤＢ２０６について説明する。
【００８０】
図８は、事業者サーバの地図情報ＤＢの一例を示す図である。
【００８１】
図８に示す地図情報ＤＢ２０６は、エリア情報２０６−１の欄と、エリア地図データ２０６−２の欄と、を備えている。
【００８２】
エリア情報２０６−１は、地点或いはエリアを示す情報であり、エリア地図データ２０６−２は、エリア情報２０６−１に示す地点或いはエリアの周辺の地図データを格納している。エリア情報２０６−１は、図５に示したユーザ情報ＤＢ２０２のエリア情報２０２−２と一致するものとする。一例として、図８の２０６−１０の行では、エリア情報２０６−１のエリア（「○○駅南口」、「○○駅北口」、「○○駅前ビル」）の周辺の地図データが、エリア地図データ２０６−２に格納されていることを示している。
【００８３】
次に、図９を参照して、本実施形態の通報システムの動作について説明する。
【００８４】
図９は、本実施形態の通報システムの動作を説明するフローチャートである。
【００８５】
先ず、図２に示したように、携帯電話機１００には、本実施形態の通報システム対応のワンタッチ操作ボタン１０４が設けられている。
【００８６】
携帯電話機１００の利用者が、ワンタッチ操作ボタン１０４を押下すると、携帯電話機１００の制御部１１２は、ワンタッチ操作ボタン１０４が押下されたことを検出する。次に、制御部１１２は測位部１０２を動作させ、測位部１０２は、ＧＰＳ信号受信により携帯電話機１００の現在地の緯度・経度データなどの座標データを得、該座標データから変換テーブル参照等により位置情報を文字データとして取得する（例えば、「○○駅南口」を得る）。更に、制御部１１２は、取得した位置情報、及び、自携帯電話機１００の端末ＩＤ（電話番号）を含む通知依頼情報を生成する。そして、携帯電話機１００の無線部１０１、アンテナ１１３、および通信ネットワーク４００を介して、該通知依頼情報を事業者サーバ２００に対してデータ送信（メール送信）する。
【００８７】
一方、事業者サーバ２００のサーバ制御部２０５は、携帯電話機１００からの通知依頼情報を監視している（図９のステップＳ１０１）。そして、通知依頼情報を受信したときは（ステップＳ１０１でＹｅｓ）、該通知依頼情報を解析して、携帯電話機１００の端末ＩＤおよび位置情報を抽出する（ステップＳ１０２）。次に、抽出した端末ＩＤを基にユーザ情報ＤＢ２０２を検索して、端末ＩＤ２０２−１の欄に、抽出した端末ＩＤが登録されているかを判定する（ステップＳ１０３）。抽出した端末ＩＤがユーザ情報ＤＢ２０２の端末ＩＤ２０２−１の欄に登録されていない場合は（ステップＳ１０３でＮｏ）、サーバ制御部２０５の処理を終了する。
【００８８】
抽出した端末ＩＤがユーザ情報ＤＢ２０２の端末ＩＤ２０２−１の欄に登録されている場合（ステップＳ１０３でＹｅｓ）、サーバ制御部２０５は、抽出した位置情報に一致する通報条件の有無を確認する（ステップＳ１０４）。すなわち、ステップＳ１０４においては、抽出した位置情報が、ユーザ情報ＤＢ２０２のエリア情報２０２−２或いはルート情報２０２−３の欄に登録されているか（すなわち、一致する或いは含まれるか）を検索し、登録されていれば通報条件有りとし、登録されていなければ通報条件無しとする。
【００８９】
抽出した位置情報に対応する通報条件が登録されていた場合には（ステップＳ１０４でＹｅｓ）、抽出した位置情報に対応するメッセージ情報２０２−６及び通報端末ＩＤ２０２−７を取得する（ステップＳ１０５）。そして、メッセージ情報２０２−６のメッセージを依頼メッセージとして、通報端末ＩＤ２０２−７を有する受信端末３００（複数であっても良い）宛に送信する（ステップＳ１０６）。
【００９０】
抽出した位置情報に対応する通報条件が登録されていない場合には（ステップＳ１０４でＮｏ）、携帯電話機１００の利用者に緊急事態が発生したことを通知する緊急通報が行われたものと判断する。すなわち、ステップＳ１０４において、抽出した位置情報が、ユーザ情報ＤＢ２０２のエリア情報２０２−２及びルート情報２０２−３の欄の何れにも登録されていなかったため、サーバ制御部２０５は、緊急通報端末５００に対して緊急メッセージを送信する。このために、サーバ制御部２０５は、抽出した端末ＩＤに該当するユーザ情報ＤＢ２０２内において、エリア情報２０２−２及びルート情報２０２−３の欄の何れも「ＮＵＬＬ」である行に対応するメッセージ情報２０２−６及び通報端末ＩＤ２０２−７を取得する（ステップＳ１０７）。そして、メッセージ情報２０２−６のメッセージを緊急メッセージとして、通報端末ＩＤ２０２−７を有する緊急通報端末５００（複数であっても良い）宛に送信する（ステップＳ１０８）。
【００９１】
次に、事業者サーバ２００のサーバ制御部２０５は、ステップＳ１０６で依頼メッセージを送信した受信端末３００、或いは、ステップＳ１０８で緊急メッセージを送信した緊急通報端末５００から、地図情報の送信要求があるかを判定する（ステップＳ１０９）。地図情報の送信要求が有る場合（ステップＳ１０９でＹｅｓ）、サーバ制御部２０５は、地図情報ＤＢ２０６を検索し、ステップＳ１０２で抽出した携帯電話機１００の位置情報に一致する或いは含むエリア情報２０６−１に対応するエリア地図データ２０６−２を抽出する。そして、該エリア地図データ２０６−２に格納されている地図データを、地図情報の送信要求を行った受信端末３００或いは緊急通報端末５００に対して送信する（ステップＳ１１０）。地図情報の送信要求が無い場合は（ステップＳ１０９でＮｏ）、サーバ制御部２０５の処理を終了する。
【００９２】
具体例で再度説明する。
【００９３】
携帯電話機１００から、携帯電話機１００の端末ＩＤ（「０９０−ＸＸＸＸ−ＸＸＸＸ」）と位置情報（「○○駅南口」）を含む通知依頼情報が、事業者サーバ２００に対して送信されたものとする。
【００９４】
事業者サーバ２００のサーバ制御部２０５は、携帯電話機１００からの通知依頼情報を受信し（ステップＳ１０１でＹｅｓ）、該通知依頼情報から携帯電話機１００の端末ＩＤ（「０９０−ＸＸＸＸ−ＸＸＸＸ」）および位置情報（「○○駅南口」）を抽出する（ステップＳ１０２）。次に、ユーザ情報ＤＢ２０２を検索して、端末ＩＤ２０２−１の欄に、抽出した端末ＩＤ（「０９０−ＸＸＸＸ−ＸＸＸＸ」）が登録されているかを判定する（ステップＳ１０３）。
【００９５】
抽出した端末ＩＤ（「０９０−ＸＸＸＸ−ＸＸＸＸ」）がユーザ情報ＤＢ２０２の端末ＩＤ２０２−１の欄（２０２−１０の行）に登録されているので（ステップＳ１０３でＹｅｓ）、サーバ制御部２０５は、抽出した位置情報（「○○駅南口」）に一致する通報条件の有無を確認する（ステップＳ１０４）。
【００９６】
抽出した位置情報（「○○駅南口」）に対応する通報条件がユーザ情報ＤＢ２０２のエリア情報２０２−２の欄（２０２−１０の行）登録されているため（ステップＳ１０４でＹｅｓ）、抽出した位置情報（「○○駅南口」）に対応するメッセージ情報２０２−６（「駅に着いたので車で迎えに来て下さい！」）及び通報端末ＩＤ２０２−７（「ＸＸＸ−ＹＹＹＹ−ＹＹＹＹ」）を取得する（ステップＳ１０５）。そして、メッセージ情報２０２−６のメッセージ（「駅に着いたので車で迎えに来て下さい！」）を依頼メッセージとして、通報端末ＩＤ２０２−７（「ＸＸＸ−ＹＹＹＹ−ＹＹＹＹ」）を有する受信端末３００宛に送信する（ステップＳ１０６）。なお、通報端末ＩＤ２０２−７に電話番号が登録されている場合には、依頼メッセージを音声メッセージ送信するものとし、通報端末ＩＤ２０２−７に電子メールアドレスが登録されている場合には、依頼メッセージをメール送信するものとする。
【００９７】
そして、依頼メッセージを送信した受信端末３００（「ＸＸＸ−ＹＹＹＹ−ＹＹＹＹ」）から地図情報の送信要求があった場合（ステップＳ１０９でＹｅｓ）、地図情報ＤＢ２０６を検索し、携帯電話機１００の位置情報（「○○駅南口」）に一致する或いは含むエリア情報２０６−１（２０６−１０の行）に対応するエリア地図データ２０６−２（２０６−１０の行）を抽出する。そして、該エリア地図データ２０６−２に格納されている地図データを受信端末３００（「ＸＸＸ−ＹＹＹＹ−ＹＹＹＹ」）に対して送信する。
【００９８】
また、他の一例として、携帯電話機１００から送信された通知依頼情報に、携帯電話機１００の端末ＩＤ（「０９０−ＸＸＸＸ−ＸＸＸＸ」）と位置情報（例えば、「△×駅」）が含まれていた場合について説明する。
【００９９】
端末ＩＤ（「０９０−ＸＸＸＸ−ＸＸＸＸ」）は、ユーザ情報ＤＢ２０２の２０２−１０の行に登録されている（ステップＳ１０３でＹｅｓ）。しかし、位置情報（「△×駅」）は、ユーザ情報ＤＢ２０２の該当端末ＩＤ（「０９０−ＸＸＸＸ−ＸＸＸＸ」）のエリア情報２０２−２及びルート情報２０２−３の欄の何れにも登録されていない（ステップＳ１０４でＮｏ）。従って、サーバ制御部２０５は、ユーザ情報ＤＢ２０２の該当端末ＩＤ（「０９０−ＸＸＸＸ−ＸＸＸＸ」）内の、エリア情報２０２−２及びルート情報２０２−３の欄の何れも「ＮＵＬＬ」である行（２０２−１３の行）から、緊急メッセージを選択することとなる。すなわち、２０２−１３の行に対応するメッセージ情報２０２−６（「緊急事態発生！」）及び通報端末ＩＤ２０２−７（「ＸＸＸ−ＺＺＺＺ−ＺＺＺＺ」）を取得する（ステップＳ１０７）。そして、メッセージ情報２０２−６のメッセージ（「緊急事態発生！」）を緊急メッセージとして、通報端末ＩＤ２０２−７（「ＸＸＸ−ＺＺＺＺ−ＺＺＺＺ」）を有する緊急通報端末５００宛に送信する。
【０１００】
以上説明したように、本実施形態においては、携帯電話機１００のワンタッチ操作ボタン１０４を押すだけで、携帯電話機１００の現在位置を示す位置情報が取得され、位置情報を含む通知依頼情報が事業者サーバ２００に送信される。事業者サーバ２００では、通知依頼情報に含まれる位置情報が、事業者サーバ２００の備えるユーザ情報ＤＢ２０２に登録されているかを判定する。位置情報がユーザ情報ＤＢ２０２に登録されている場合、該位置情報に対応する所定のメッセージ情報及び通報端末ＩＤをユーザ情報ＤＢ２０２から抽出し、該メッセージ情報を依頼メッセージとして通報端末ＩＤを有する受信端末３００に対して送信する。従って、ほぼ同じ場所から同じ通信相手に発信されるような定型的な情報を、携帯電話機などの携帯通信端末から、容易な端末操作で送信可能となる、という効果がある。
【０１０１】
また、携帯電話機１００からの位置情報がユーザ情報ＤＢ２０２に登録されていない場合、事業者サーバ２００は、緊急メッセージを所定の通報端末ＩＤを有する緊急通報端末５００に対して送信する。従って、携帯電話機１００の利用者のセキュリティが向上する、という効果がある。
【０１０２】
次に、図１０、図１１を参照して、本発明の通報システムの第２の実施形態について説明する。
【０１０３】
第２の実施形態の通報システムは、携帯電話機１００から通知依頼情報を受信した事業者サーバ２００が、携帯電話機１００の位置情報だけでなく、時刻情報や気象情報に応じて、受信端末３００及び／又は受信端末３００に対して送信するメッセージ情報を、制御できるようにしたものである。例えば、携帯電話機１００からの位置情報に示される地点の気象情報が、晴れのときは「今から帰ります」、雨のときは「車で迎えに来て」、というようにメッセージ情報を変え、また、受信端末３００を車での迎えが可能な受信者宛にする、などである。
【０１０４】
第２の実施形態の通報システムの構成は、第１の実施形態に比し、事業者サーバ２００の備えるユーザ情報ＤＢ２０２だけが異なるものである。従って、次に、図１０を参照して、第２の実施形態における事業者サーバ２００のユーザ情報ＤＢ２０２について説明する。
【０１０５】
図１０は、第２の実施形態における事業者サーバのユーザ情報ＤＢの一例を示す図である。
【０１０６】
図１０に示すユーザ情報ＤＢ２０２は、図５に示したと同様の端末ＩＤ２０２−１の欄と、エリア情報２０２−２の欄と、ルート情報２０２−３の欄と、メッセージ情報２０２−６の欄と、通報端末ＩＤ２０２−７の欄と、を備えている。そして更に、天候情報２０２−４の欄と、時刻情報２０２−５の欄と、を備えている。従って、図１０において、図５に示す構成要素に対応するものは同一の参照数字または符号を付し、その説明を省略するものとする。
【０１０７】
天候情報２０２−４は、携帯電話機１００から受信する通知依頼情報に含まれる位置情報が、エリア情報２０２−２或いはルート情報２０２−３に記述されている地点に一致する場合、該当地点の現在の気象情報を更に調べるよう指示する為の情報が記載される。そして、該当地点の現在の気象情報が、天候情報２０２−４に記載される天候と一致する場合、対応する通報端末ＩＤ２０２−７を有する受信端末３００に対して、対応するメッセージ情報２０２−６のメッセージが送信されるようになる。
【０１０８】
例えば、携帯電話機１００から受信する通知依頼情報に含まれる位置情報が、２０２−２０の行のエリア情報２０２−２（「○○駅南口」、「○○駅北口」、「○○駅前ビル」の何れか）に一致する或いは含まれる場合、対応する天候情報２０２−４には「雨」が記載されている。従って、該当地点（「○○駅南口」、「○○駅北口」、「○○駅前ビル」の何れか）の現在の気象情報を更に調べる（気象情報ＤＢ２０４を検索する。）。そして、該当地点の現在の気象情報が「雨」であれば、２０２−２０の行に示すように、対応する通報端末ＩＤ２０２−７（「ＸＸＸ−ＹＹＹＹ−ＺＺＺＺ」）を有する受信端末３００に対して、対応するメッセージ情報２０２−６のメッセージ（「駅に着いたので車で迎えに来て下さい！」）が送信されるようになる。なお、該当地点の現在の気象情報が「晴」であれば、２０２−２０の行に変えて２０２−２１の行が選択され、２０２−２１の行の対応する通報端末ＩＤ２０２−７（「ＸＸＸ−ＹＹＹＹ−ＹＹＹＹ」）を有する受信端末３００に対して、対応するメッセージ情報２０２−６のメッセージ（「駅に着きました。今から帰ります。」）が送信されるようになる。
【０１０９】
時刻情報２０２−５は、携帯電話機１００から受信する通知依頼情報に含まれる位置情報が、エリア情報２０２−２或いはルート情報２０２−３に記述されている地点に一致する或いは含まれる場合、当該通知依頼情報を受信した時刻を更に調べるよう指示する為の情報が記載される。そして、当該通知依頼情報を受信した時刻が、時刻情報２０２−５に記載される時刻と一致する或いは含まれる場合、対応する通報端末ＩＤ２０２−７を有する受信端末３００に対して、対応するメッセージ情報２０２−６のメッセージが送信されるようになる。
【０１１０】
例えば、携帯電話機１００から受信する通知依頼情報に含まれる位置情報が、２０２−２２の行のエリア情報２０２−２（「□□ビル」）に一致する場合、対応する時刻情報２０２−５には「午前」が記載されている。従って、当該通知依頼情報を受信した時刻を更に調べる（事業者サーバ２００の備える時計から現在時刻を得る。）。そして、現在時刻が「午前」であれば、２０２−２２の行に示すように、対応する通報端末ＩＤ２０２−７（「ＸＸＸ−ＹＹＹＹ−ＺＺＺＺ」）を有する受信端末３００に対して、対応するメッセージ情報２０２−６のメッセージ（「会社に着きました。」）が送信されるようになる。なお、現在時刻が「午後」であれば、２０２−２２の行に変えて２０２−２３の行が選択され、２０２−２３の行の対応する通報端末ＩＤ２０２−７（「ＸＸＸ−ＹＹＹＹ−ＺＺＺＺ」）を有する受信端末３００に対して、対応するメッセージ情報２０２−６のメッセージ（「今から帰宅します。」）が送信されるようになる。
【０１１１】
次に、図１１を参照して、第２の実施形態の通報システムの動作について説明する。
【０１１２】
図１１は、第２の実施形態の通報システムの動作を説明するフローチャートである。
【０１１３】
先ず、携帯電話機１００の利用者が、携帯電話機１００のワンタッチ操作ボタン１０４を押下すると、第１の実施形態で説明したと同様に、携帯電話機１００は、通知依頼情報を事業者サーバ２００に対してデータ送信する。該通知依頼情報には、自携帯電話機１００の端末ＩＤと位置情報（例えば、「○○駅南口」）が含まれている。
【０１１４】
一方、事業者サーバ２００のサーバ制御部２０５は、携帯電話機１００からの通知依頼情報を監視している（図１１のステップＳ１２１）。そして、通知依頼情報を受信したときは（ステップＳ１２１でＹｅｓ）、該通知依頼情報を解析して、携帯電話機１００の端末ＩＤおよび位置情報を抽出する（ステップＳ１２２）。次に、抽出した端末ＩＤを基にユーザ情報ＤＢ２０２を検索して、端末ＩＤ２０２−１の欄に、抽出した端末ＩＤが登録されているかを判定する（ステップＳ１２３）。抽出した端末ＩＤがユーザ情報ＤＢ２０２の端末ＩＤ２０２−１の欄に登録されていない場合は（ステップＳ１２３でＮｏ）、サーバ制御部２０５の処理を終了する。
【０１１５】
抽出した端末ＩＤがユーザ情報ＤＢ２０２の端末ＩＤ２０２−１の欄に登録されている場合（ステップＳ１２３でＹｅｓ）、サーバ制御部２０５は、抽出した位置情報に一致する通報条件の有無を確認する（ステップＳ１２４）。すなわち、ステップＳ１２４においては、抽出した位置情報が、ユーザ情報ＤＢ２０２のエリア情報２０２−２或いはルート情報２０２−３の欄に登録されているか（すなわち、一致する或いは含まれるか）を検索し、登録されていれば通報条件有りとし、登録されていなければ通報条件無しとする。
【０１１６】
抽出した位置情報に対応する通報条件が登録されていた場合には（ステップＳ１２４でＹｅｓ）、事業者サーバ２００のサーバ制御部２０５は、次に、ユーザ情報ＤＢ２０２の通報条件が登録されていた行に、天候情報２０２−４或いは時刻情報２０２−５が登録されているかを検索する。
【０１１７】
そして、天候情報２０２−４が登録されている場合には、サーバ制御部２０５は、気象情報ＤＢ２０４を検索して抽出した位置情報に一致する地点の現在の気象情報を取得する。すなわち、気象情報ＤＢ２０４のエリア情報２０４−１の欄から、抽出した位置情報に一致する或いは含む地点を探し出し、該当地点に対応する現在の天候２０４−２の欄から、現在の気象情報を取得する。また、時刻情報２０２−５が登録されている場合には、サーバ制御部２０５は、事業者サーバ２００の備える時計から現在時刻を得る。
【０１１８】
次に、サーバ制御部２０５は、取得した現在の気象情報或いは取得した現在時刻が、上記ユーザ情報ＤＢ２０２の通報条件が登録されていた行の天候情報２０２−４或いは時刻情報２０２−５に登録されているものと一致する或いは含まれるかを判定する（ステップＳ１２５）。
【０１１９】
そして、一致する或いは含まれると判定された場合は（ステップＳ１２５でＹｅｓ）、上記ユーザ情報ＤＢ２０２の通報条件が登録されていた行の天候情報２０２−４或いは時刻情報２０２−５に対応するメッセージ情報２０２−６及び通報端末ＩＤ２０２−７を取得する（ステップＳ１２６）。そして、メッセージ情報２０２−６のメッセージを依頼メッセージとして、通報端末ＩＤ２０２−７を有する受信端末３００宛に送信する（ステップＳ１２７）。
【０１２０】
一致する或いは含まれると判定されなかった場合は（ステップＳ１２５でＮｏ）、上記ユーザ情報ＤＢ２０２の通報条件が登録されていた行の天候情報２０２−４或いは時刻情報２０２−５に対応しない例えば次の行のメッセージ情報２０２−６及び通報端末ＩＤ２０２−７を取得する（ステップＳ１２８）。そして、メッセージ情報２０２−６のメッセージを依頼メッセージとして、通報端末ＩＤ２０２−７を有する受信端末３００宛に送信する（ステップＳ１２９）。
【０１２１】
抽出した位置情報に対応する通報条件が登録されていない場合には（ステップＳ１２４でＮｏ）、携帯電話機１００の利用者に緊急事態が発生したことを通知する緊急通報が行われたものと判断する。すなわち、ステップＳ１２４において、抽出した位置情報が、ユーザ情報ＤＢ２０２のエリア情報２０２−２及びルート情報２０２−３の欄の何れにも登録されていなかったため、サーバ制御部２０５は、緊急通報端末５００に対して緊急メッセージを送信する。このために、サーバ制御部２０５は、抽出した端末ＩＤに該当するユーザ情報ＤＢ２０２内において、エリア情報２０２−２及びルート情報２０２−３の欄の何れも「ＮＵＬＬ」である行に対応するメッセージ情報２０２−６及び通報端末ＩＤ２０２−７を取得する（ステップＳ１３０）。そして、メッセージ情報２０２−６のメッセージを緊急メッセージとして、通報端末ＩＤ２０２−７を有する緊急通報端末５００宛に送信する（ステップＳ１３１）。
【０１２２】
次に、事業者サーバ２００のサーバ制御部２０５は、ステップＳ１２７或いはステップＳ１２９で依頼メッセージを送信した受信端末３００、或いは、ステップＳ１３１で緊急メッセージを送信した緊急通報端末５００から、地図情報の送信要求があるかを判定する（ステップＳ１３２）。地図情報の送信要求が有る場合（ステップＳ１３２でＹｅｓ）、サーバ制御部２０５は、地図情報ＤＢ２０６を検索し、ステップＳ１２２で抽出した携帯電話機１００の位置情報に一致する或いは含むエリア情報２０６−１に対応するエリア地図データ２０６−２を抽出する。そして、該エリア地図データ２０６−２に格納されている地図データを、地図情報の送信要求を行った受信端末３００或いは緊急通報端末５００に対して送信する（ステップＳ１３３）。地図情報の送信要求が無い場合は（ステップＳ１３２でＮｏ）、サーバ制御部２０５の処理を終了する。
【０１２３】
以上説明したように、本発明の第２の実施形態においては、携帯電話機１００から通知依頼情報を受信した事業者サーバ２００は、携帯電話機１００の位置情報だけでなく、時刻情報や気象情報に応じて、受信端末３００及び／又は受信端末３００に対して送信するメッセージ情報を、変更することが可能となっている。従って、ほぼ同じ時刻に同じ通信相手に発信されるような定型的な情報を、携帯電話機などの携帯通信端末から、容易な端末操作で送信可能となる、という効果がある。また、時刻や気象などの状況に応じて、受信端末や受信端末に対して送信するメッセージを、きめ細かく設定できる、という効果がある。
【０１２４】
なお、上述した第１及び第２の実施形態は、以下に記すような変更を加えたものであってもよい。
【０１２５】
すなわち、図２及び図３で示した携帯電話機１００のワンタッチ操作ボタン１０４は、通報操作の専用キーとして操作部１０３とは別に設けたが、例えば、操作部１０３の一つのキー（特定キー）を長押しすること等により、当該キー機能がなされるようにしても良い。
【０１２６】
また、図２で示した携帯電話機１００の測位部１０２での位置情報取得は、ＧＰＳ測位以外の方法であってもよい。例えば、複数の基地局がそれぞれ送出する電波の受信電界強度を測定し、各基地局からの距離を推定して携帯電話機１００の現在位置を検出する。または、無線部１０１を介して基地局と交信し、基地局側で携帯電話機１００の現在位置を計算して求め、該現在位置を基地局から受信して自携帯電話機１００の現在位置とする。或いは又、無線部１０１を介して基地局と交信し、基地局から該基地局の現在位置を受信し、該基地局の現在位置を自携帯電話機１００の現在位置とする、などである。
【０１２７】
さらに、図２で示した携帯電話機１００の測位部１０２で取得する位置情報は、文字データとして取得されるものとしたが、該文字データは、携帯電話機１００の操作部１０３からキー入力するようにしてもよい。或いは又、該文字データを、予め登録された複数の文字データの中から選択して入力するようにしてもよい。
【０１２８】
またさらに、図２で示した携帯電話機１００の測位部１０２で取得する位置情報を、文字データではなく、緯度・経度データなどの座標データとして得られるものとしてもよい。この場合、事業者サーバ２００の備える各ＤＢ（２０２、２０３、２０４、２０６）の位置情報を格納する箇所にはエリアデータ（座標データの範囲）を格納するようにし、かつ、サーバ制御部２０５における位置情報の一致判定を、エリアデータ内であるか否かで判定するようにする。すなわち、事業者サーバ２００の備えるユーザ情報ＤＢ２０２のエリア情報２０２−２及びルート情報２０２−３の欄に、ある座標データの半径３０メートル以内などのエリアデータを格納する。また、ルート情報ＤＢ２０３のルート構成２０３−２の欄に、ルートを構成する駅などのエリアデータを格納する。さらに、気象情報ＤＢ２０４のエリア情報２０４−１の欄、及び、地図情報ＤＢ２０６のエリア情報２０６−１の欄に、エリアデータを格納する。そして、サーバ制御部２０５における位置情報の一致判定において、携帯電話機１００からの位置情報（座標データ）がエリアデータ内に有る場合に一致するものと判定するようにすればよい。
【図面の簡単な説明】
【０１２９】
【図１】本発明の通報システムの一実施形態を示すブロック図である。
【図２】携帯電話機の一例を示す詳細ブロック図である。
【図３】携帯電話機の外観の一例を示す図である。
【図４】事業者サーバの一例を示す詳細ブロック図である。
【図５】事業者サーバのユーザ情報ＤＢの一例を示す図である。
【図６】事業者サーバのルート情報ＤＢの一例を示す図である。
【図７】事業者サーバの気象情報ＤＢの一例を示す図である。
【図８】事業者サーバの地図情報ＤＢの一例を示す図である。
【図９】本実施形態の通報システムの動作を説明するフローチャートである。
【図１０】第２の実施形態における事業者サーバのユーザ情報ＤＢの一例を示す図である。
【図１１】第２の実施形態の通報システムの動作を説明するフローチャートである。
【符号の説明】
【０１３０】
１００    携帯電話機
１０１    無線部
１０２    測位部
１０３    操作部
１０４    ワンタッチ操作ボタン
１０５    表示部
１０６    スピーカ
１０７    カメラ
１０８    送受話部
１０９    受話器
１１０    送話器
１１１    記憶部
１１２    制御部
１１３    アンテナ
２００    事業者サーバ
２０１    通信部
２０２    ユーザ情報ＤＢ
２０３    ルート情報ＤＢ
２０４    気象情報ＤＢ
２０５    サーバ制御部
２０６    地図情報ＤＢ
３００    受信端末
４００    通信ネットワーク
５００    緊急通報端末
【図１】
2006041697.tif 000003
【図２】
2006041697.tif 000004
【図３】
2006041697.tif 000005
【図４】
2006041697.tif 000006
【図５】
2006041697.tif 000007
【図６】
2006041697.tif 000008
【図７】
2006041697.tif 000009
【図８】
2006041697.tif 000010
【図９】
2006041697.tif 000011
【図１０】
2006041697.tif 000012
【図１１】
2006041697.tif 000013